【手続補正書】
【提出日】平成20年1月25日(2008.1.25)
【手続補正１】
【補正対象書類名】特許請求の範囲
【補正対象項目名】全文
【補正方法】変更
【補正の内容】
【特許請求の範囲】
【請求項１】
ユーザインタフェースの相違を判定するために前記ユーザインタフェースの動的な領域をマスキングする、コンピュータによって実施される方法であって、
前記ユーザインタフェースの第１のスナップショットのためのマスクを生成するステップであって、前記マスクは、前記第１のスナップショット中の座標のセットに対応し、前記第１のスナップショットの前記マスクを生成する前記ステップは、前記マスクがデフォルトマスクテーブルに含まれることまたは前記マスクがスナップショットマスクテーブルに含まれることの少なくとも１つに応答して行なわれることと、
スナップショットキーに従って前記マスクをスナップショットのセットに関連付けるステップであって、前記スナップショットのセットは、前記第１のスナップショットを含むことと、
前記第１のスナップショットが前記スナップショットセットの別のスナップショットと比較される際に、前記マスクの座標に対応する各スナップショットの範囲が無視されるように、前記スナップショットのセットに前記マスクを適用するステップと
を備えることを特徴とする方法。
【請求項２】
前記マスクは、前記第１のスナップショットと前記スナップショットセットの別のスナップショットとの比較の前に、前記スナップショットのセットに関連付けられることを特徴とする請求項１に記載のコンピュータによって実施される方法。
【請求項３】
前記第１のスナップショットと前記スナップショットセットの別のスナップショットとの比較の前に、前記デフォルトマスクテーブルからスナップショットマスクテーブルにマスクをコピーするステップをさらに備えることを特徴とする請求項１に記載のコンピュータによって実施される方法。
【請求項４】
前記マスクは、前記第１のスナップショットと前記スナップショットセットの別のスナップショットとの比較の前に、前記スナップショットのセットに関連付けられることを特徴とする請求項１に記載のコンピュータによって実施される方法。
【請求項５】
前記マスクは、前記第１のスナップショットと前記スナップショットセットの別のスナップショットとの比較の後に、ユーザにより前記スナップショットのセットに関連付けられることを特徴とする請求項１に記載のコンピュータによって実施される方法。
【請求項６】
前記マスクが前記スナップショットのセットに関連付けられるときに、前記スナップショットのセット中のスナップショットの巡回冗長検査値を再計算するステップをさらに備えることを特徴とする請求項１に記載のコンピュータによって実施される方法。
【請求項７】
前記マスクは、一括追加操作に従って前記スナップショットのセットに関連付けられることを特徴とする請求項１に記載のコンピュータによって実施される方法。
【請求項８】
前記スナップショットキーは、前記第１のスナップショットに関係付けられたファイルに含まれる情報の選択可能な組み合わせから生成されることを特徴とする請求項１に記載のコンピュータによって実施される方法。
【請求項９】
ユーザインタフェースの相違を判定するために前記ユーザインタフェースの動的な領域をマスキングするコンピュータ実行可能命令を含むコンピュータ読取り可能記憶媒体であって、
前記ユーザインタフェースの第１のスナップショットのためのマスクを生成するステップであって、前記マスクは、前記第１のスナップショット中の座標のセットに対応することと、
スナップショットキーに従って前記マスクを第２のスナップショットに関連付けるステップであって、前記第１のスナップショットと第２のスナップショットは、前記スナップショットキーに従って関係付けられることと、
前記第１のスナップショットが前記第２のスナップショットと比較される際に、前記マスクの座標に対応する前記第１のスナップショットと前記第２のスナップショットの範囲が無視されるように、前記第１のスナップショットと前記第２のスナップショットに前記マスクを適用するステップと、
前記マスクが前記スナップショットのセットに関連付けられるときに、前記スナップショットのセット中のスナップショットの巡回冗長検査値を再計算するステップと
を備えることを特徴とするコンピュータ読取り可能記憶媒体。
【請求項１０】
第１のスナップショットの前記マスクを生成するステップは、前記マスクがデフォルトマスクテーブルに含まれるのに応答して行われることを特徴とする請求項９に記載のコンピュータ読取り可能記憶媒体。
【請求項１１】
前記第１のスナップショットと前記スナップショットセットの別のスナップショットとの比較の前に、デフォルトマスクテーブルからスナップショットマスクテーブルに前記マスクをコピーするステップをさらに備えることを特徴とする請求項９に記載のコンピュータ読取り可能記憶媒体。
【請求項１２】
第１のスナップショットの前記マスクを生成するステップは、前記マスクがスナップショットマスクテーブルに含まれるのに応答して行われることを特徴とする請求項９に記載のコンピュータ読取り可能記憶媒体。
【請求項１３】
前記マスクは、一括追加操作に従って前記スナップショットのセットに関連付けられることを特徴とする請求項９に記載のコンピュータ読取り可能記憶媒体。
【請求項１４】
前記スナップショットキーは、前記第１のスナップショットに関係付けられたファイルに含まれる情報の選択可能な組み合わせから生成されることを特徴とする請求項９に記載のコンピュータ読取り可能記憶媒体。
【請求項１５】
ユーザインタフェースの相違を判定するために前記ユーザインタフェースの動的な領域をマスキングするシステムであって、
前記ユーザインタフェースの第１のスナップショットと第２のスナップショットがとられるターゲットユーザインタフェースデバイスと、
前記ユーザインタフェースの前記第１のスナップショットのための、前記第１のスナップショット中の座標セットに対応するマスクを生成し、
スナップショットキーに従って前記マスクを前記第２のスナップショットに関連付け、前記第１のスナップショットと第２のスナップショットは前記スナップショットキーに従って関係付けられ、
前記第１のスナップショットが前記第２のスナップショットと比較される際に、前記マスクの座標に対応する前記第１のスナップショットと前記第２のスナップショットの範囲が無視されるように、前記第１のスナップショットと前記第２のスナップショットに前記マスクを適用し、
前記アプリケーションは、前記マスクがスナップショットマスクテーブルに含まれるのに応答して前記マスクを生成するようにさらに構成される
ように構成されたアプリケーションを含むサーバと
を備えたことを特徴とするシステム。
【請求項１６】
前記アプリケーションは、前記マスクがデフォルトマスクテーブルに含まれるのに応答して前記マスクを生成するようにさらに構成されることを特徴とする請求項１５に記載のシステム。
【請求項１７】
前記アプリケーションは、前記第１のスナップショットと前記スナップショットのセットの別のスナップショットとの比較の前に、デフォルトマスクテーブルからスナップショットマスクテーブルに前記マスクをコピーするようにさらに構成されることを特徴とする請求項１５に記載のシステム。
【請求項１８】
前記アプリケーションは、前記マスクが前記スナップショットセットに関連付けられるときに、前記スナップショットのセット中の前記スナップショットの巡回冗長検査値を再計算するようにさらに構成されることを特徴とする請求項１５に記載のシステム。
【請求項１９】
前記マスクは、一括追加操作に従って前記スナップショットのセットに関連付けられることを特徴とする請求項１５に記載のシステム。
【請求項２０】
前記スナップショットキーは、前記第１のスナップショットに関係付けられたファイルに含まれる情報の選択可能な組み合わせから生成されることを特徴とする請求項１５に記載のシステム。